(57)【要約】【課題】郵便物がその仕分け工程などで多少手荒な取扱いを受けても、情報隠蔽板が郵便物本体から剥がれ難く、情報隠蔽板により郵便物本体に凹設された情報を確実に隠蔽できるとともに、折れ曲がり難く、更に宛名等が水に濡れてもにじまずかつ経年劣化により消えることもない。【解決手段】情報隠蔽板付き郵便物１０は、板状のプラスチックにより形成された郵便物本体１１と、郵便物本体と一体成形されかつ郵便物本体から剥離可能に構成されたプラスチック製の情報隠蔽板１２とを備える。上記郵便物本体の表面には宛名１１ａが凹設され、郵便物本体の裏面には文字、記号、図形又は絵により構成される情報１１ｅが凹設される。また、情報隠蔽板は、郵便物本体の情報が凹設された面に一体成形される。【選択図】図１
2018126910.tif 000002
【特許請求の範囲】
【請求項１】
板状のプラスチックにより形成され表面に宛名が凹設されかつ裏面に文字、記号、図形又は絵により構成される情報が凹設された郵便物本体と、
前記郵便物本体の前記情報が凹設された面にこの郵便物本体と一体成形されかつ前記郵便物本体から剥離可能に構成されたプラスチック製の情報隠蔽板と
を備えた情報隠蔽板付き郵便物。
【請求項２】
前記郵便物本体の表面側の一部に前記郵便物本体から離れるに従って次第に狭くなるドーム状に突出しかつ内部に空洞を有する突起が設けられ、前記空洞が前記情報隠蔽板により封止された請求項１記載の情報隠蔽板付き郵便物。
【請求項３】
前記物品が指輪、イヤリング、ネックレス又はブローチである請求項２記載の情報隠蔽板付き郵便物。
【請求項４】
３次元プリンタによりプラスチック製の情報隠蔽板を成形する成形工程と、
前記情報隠蔽板の上面に前記３次元プリンタによりプラスチック製の郵便物本体を前記情報隠蔽板により隠蔽される裏面に文字、記号、図形又は絵により構成される情報を凹設しかつその表面に宛名を凹設しながら積層する積層工程と
を含む情報隠蔽板付き郵便物の製造方法であって、
前記郵便物本体が前記情報隠蔽板に剥離可能に密着するように前記情報隠蔽板及び前記郵便物本体が一体成形されたことを特徴とする情報隠蔽板付き郵便物の製造方法。
【請求項５】
前記郵便物本体の積層工程において、前記郵便物本体の表面側の一部に前記郵便物本体から離れるに従って次第に狭くなるドーム状に突出しかつ内部に空洞を有する突起を設け、前記突起を積層している途中で未完成の突起内部の空洞に物品を収容した後に前記突起を完成させる請求項４記載の情報隠蔽板付き郵便物の製造方法。
【請求項６】
前記物品が指輪、イヤリング、ネックレス又はブローチである請求項５記載の情報隠蔽板付き郵便物の製造方法。
【発明の詳細な説明】
【技術分野】
【０００１】
本発明は、情報が情報隠蔽板で隠蔽されたハガキやダイレクトメール等の郵便物と、その郵便物を製造する方法に関するものである。
【背景技術】
【０００２】
従来、表面紙、裏面紙を一体に積層して形成するプリンタ用紙が開示されている（例えば、特許文献１参照。）。このプリンタ用紙では、表面紙及び裏面紙が剥離不能なハガキ用の本体部と、表面紙及び裏面紙が再剥離可能なシール部とが区画設定される。また、シール部は、本体部に表示される秘密情報を隠蔽するために、本体部に貼着する隠蔽シールとして表面紙又は裏面紙の一方が使用される。
【０００３】
このように構成されたプリンタ用紙では、本体部及びシール部を包含するプリンタ用紙は、表面紙と裏面紙を一体に積層して形成され、全体の紙厚が均一であるので、プリンタにおける給紙動作が安定であり、印字障害を生じるおそれがない。
【先行技術文献】
【特許文献】
【０００４】
【特許文献１】特開２００６−２８９８０６号公報（請求項１、段落［０００９］、図１、図２）
【発明の概要】
【発明が解決しようとする課題】
【０００５】
しかし、上記従来の特許文献１に示されたプリンタ用紙では、このプリンタ用紙をハガキとして投函し、このハガキがその仕分け工程などで多少手荒な取扱いを受けると、隠蔽シールが本体部から剥がて、秘密情報が露出したり、折れ曲がってしまうおそれがあった。また、上記従来の特許文献１に示されたプリンタ用紙では、このプリンタ用紙をハガキとして投函し、このハガキが集配中に水に濡れると、文字がにじんだり、或いはハガキを受取った受取人が長期間保管しておくと、文字が経年劣化により消えてしまうおそれがあった。
【０００６】
本発明の第１の目的は、郵便物がその仕分け工程などで多少手荒な取扱いを受けても、情報隠蔽板が郵便物本体から剥がれ難く、情報隠蔽板により郵便物本体に凹設された情報を確実に隠蔽できるとともに、折れ曲がり難く、更に宛名等が水に濡れてもにじまずかつ経年劣化により消えることもない、情報隠蔽板付き郵便物を提供することにある。本発明の第２の目的は、郵便物の受取人が、郵便物本体から情報隠蔽板を剥がすことにより、郵便物本体の裏面に凹設された情報と、空洞に収容された物品を第三者に知られずに得ることができるとともに、その情報及び物品により受取人を驚かせかつ喜ばせることができる、情報隠蔽板付き郵便物を提供することにある。本発明の第３の目的は、一度３次元プリンタによる情報隠蔽板付き郵便物の作製プログラムを組むことにより、郵便物本体の表面及び裏面に宛名及び情報をインクで印刷する必要がなく、また情報を印刷した郵便物本体の裏面に情報隠蔽紙を接着剤で貼着する必要もなく、上記プログラムの指令を３次元プリンタに送信することにより、自動的に情報隠蔽板付き郵便物を作製できる、情報隠蔽板付き郵便物の製造方法を提供することにある。本発明の第４の目的は、未完成の突起内部の空洞に物品を収容するという僅かな工数の増加で、物品を空洞に封入することができる、情報隠蔽板付き郵便物の製造方法を提供することにある。
【課題を解決するための手段】
【０００７】
本発明の第１の観点は、図１に示すように、板状のプラスチックにより形成され表面に宛名１１ａが凹設されかつ裏面に文字、記号、図形又は絵により構成される情報１１ｅが凹設された郵便物本体１１と、郵便物本体１１の情報１１ｅが凹設された面にこの郵便物本体１１と一体成形されかつ郵便物本体１１から剥離可能に構成されたプラスチック製の情報隠蔽板１２とを備えた情報隠蔽板付き郵便物１０である。なお、本明細書において、郵便物には、郵送されるハガキや大判のダイレクトメール等に加えて、宅配されるダイレクトメール等の信書便物も含まれる。
【０００８】
本発明の第２の観点は、第１の観点にもとづく発明であって、更に図４〜図６に示すように、郵便物本体５１の表面側の一部に郵便物本体５１から離れるに従って次第に狭くなるドーム状に突出しかつ内部に空洞５１ｂを有する突起５１ａが設けられ、空洞５１ｂが情報隠蔽板１２により封止されたことを特徴とする。
【０００９】
本発明の第３の観点は、第２の観点にもとづく発明であって、更に図４〜図６に示すように、物品５６が指輪、イヤリング、ネックレス又はブローチであることを特徴とする。
【００１０】
本発明の第４の観点は、図１及び図２に示すように、３次元プリンタ２３によりプラスチック製の情報隠蔽板１２を成形する成形工程と、情報隠蔽板１２の上面に３次元プリンタ２３によりプラスチック製の郵便物本体１１を情報隠蔽板１２により隠蔽される裏面に文字、記号、図形又は絵により構成される情報１１ｅを凹設しかつその表面に宛名１１ａを凹設しながら積層する積層工程とを含む情報隠蔽板付き郵便物１０の製造方法であって、郵便物本体１１が情報隠蔽板１２に剥離可能に密着するように情報隠蔽板１２及び郵便物本体１１が一体成形されたことを特徴とする。
【００１１】
本発明の第５の観点は、第４の観点にもとづく発明であって、更に図４〜図６に示すように、郵便物本体５１の積層工程において、郵便物本体５１の表面側の一部に郵便物本体５１から離れるに従って次第に狭くなるドーム状に突出しかつ内部に空洞５１ｂを有する突起５１ａを設け、突起５１ａを積層している途中で未完成の突起５１ａ内部の空洞５１ｂに物品５６を収容した後に突起５１ａを完成させることを特徴とする。
【００１２】
本発明の第６の観点は、第５の観点にもとづく発明であって、更に図４〜図６に示すように、物品５６が指輪、イヤリング、ネックレス又はブローチであることを特徴とする。
【発明の効果】
【００１３】
本発明の第１の観点の情報隠蔽板付き郵便物では、表面に宛名が凹設されかつ裏面に文字等により構成される情報が凹設された郵便物本体を板状のプラスチックにより形成し、郵便物本体の情報が凹設された面にこの郵便物本体と一体成形されたプラスチック製の情報隠蔽板を郵便物本体から剥離可能に構成したので、郵便物がその仕分け工程などで多少手荒な取扱いを受けても、プラスチック製の情報隠蔽板が郵便物本体から剥がれ難く、情報隠蔽板により郵便物本体に凹設された情報を確実に隠蔽できる。また、郵便物本体が板状のプラスチックにより形成されかつ情報隠蔽板もプラスチックにより形成されているため、郵便物の剛性が高く、郵便物がその仕分け工程などで多少手荒な取扱いを受けても、折れ曲がり難い。更に、宛名や情報が板状のプラスチック製の郵便物本体に凹設されているため、宛名等は水に濡れてもにじまずかつ経年劣化により消えることもない。
【００１４】
本発明の第２の観点の情報隠蔽板付き郵便物では、郵便物本体の表面側の一部に突出しかつ内部に空洞を有する突起を設け、この空洞を情報隠蔽板により封止するので、郵便物の差出人が、郵便物本体の空洞に物品を収容した後に、この空洞を情報隠蔽板により封止した状態でこの郵便物を投函すると、この郵便物を受取った受取人が郵便物本体から情報隠蔽板を剥がして、郵便物本体の裏面に凹設された情報を読むことができるとともに、空洞から物品を取出すことができる。この結果、郵便物の受取人は、郵便物本体の裏面に凹設された情報と、空洞に収容された物品を第三者に知られずに得ることができる。また、上記突起が、郵便物本体の表面側の一部に郵便物本体から離れるに従って次第に狭くなるドーム状に突出するので、突起内部の空洞に必要最小限の支柱やリブ等を設けるだけで所定の強度を確保できる。この結果、空洞の容積に相応する大きさの物品を空洞に収容できる。
【００１５】
本発明の第３の観点の情報隠蔽板付き郵便物では、物品が指輪等であれば、郵便物の受取人を驚かせかつ喜ばせることができる。
【００１６】
本発明の第４の観点の情報隠蔽板付き郵便物の製造方法では、３次元プリンタによりプラスチック製の情報隠蔽板を成形し、情報隠蔽板の上面に３次元プリンタによりプラスチック製の郵便物本体を情報隠蔽板により隠蔽される裏面に文字等により構成される情報を凹設しかつその表面に宛名を凹設しながら積層し、かつ郵便物本体が情報隠蔽板に剥離可能に密着するように情報隠蔽板及び郵便物本体を一体成形するので、一度３次元プリンタによる情報隠蔽板付き郵便物の作製プログラムを組むことにより、郵便物本体の表面及び裏面に宛名及び情報をインクで印刷する必要がなく、また情報を印刷した郵便物本体の裏面に情報隠蔽紙を接着剤で貼着する必要もなく、上記プログラムの指令を３次元プリンタに送信することにより、自動的に情報隠蔽板付き郵便物を作製できる。
【００１７】
本発明の第５の観点の情報隠蔽板付き郵便物の製造方法では、郵便物本体の積層工程において、郵便物本体の表面側の一部に突出しかつ内部に空洞を有する突起を設け、この突起を積層している途中で未完成の突起内部の空洞に物品を収容した後に突起を完成させるので、未完成の突起内部の空洞に物品を収容するという僅かな工数の増加で、物品を空洞に封入することができる。また、上記突起が、郵便物本体の表面側の一部に郵便物本体から離れるに従って次第に狭くなるドーム状に突出するので、突起内部の空洞に必要最小限の支柱やリブ等を設けるだけで所定の強度を確保できる。この結果、空洞の容積に相応する大きさの物品を空洞に収容できる。
【００１８】
本発明の第６の観点の情報隠蔽板付き郵便物の製造方法では、物品が指輪等であれば、上記と同様に、郵便物の受取人を驚かせかつ喜ばせることができる。
【図面の簡単な説明】
【００１９】
【図１】本発明第１実施形態の情報隠蔽板付き郵便物の情報隠蔽板を郵便物本体から剥離する手順を示す斜視図である。
【図２】その情報隠蔽板付き郵便物を３次元プリンタで製造する手順を示す断面構成図である。
【図３】郵便物本体と情報隠蔽板との間に形成された剥離容易層を示す要部断面図である。
【図４】本発明第２実施形態の情報隠蔽板付き郵便物の情報隠蔽板を郵便物本体から剥離する手順を示す斜視図である。
【図５】その情報隠蔽板付き郵便物を３次元プリンタで製造する手順を示す断面構成図である。
【図６】その情報隠蔽板付き郵便物の突起内部の空洞に指輪が封入された状態を示す要部断面図である。
【発明を実施するための形態】
【００２０】
次に本発明を実施するための形態を図面に基づいて説明する。
【００２１】
＜第１の実施の形態＞
図１に示すように、情報隠蔽板付き郵便物１０は、この実施の形態では、プラスチック製の情報隠蔽板付きハガキである。具体的には、情報隠蔽板付き郵便物１０は、板状のプラスチックにより形成された郵便物本体１１と、郵便物本体１１と一体成形されかつ郵便物本体１１から剥離可能に構成されたプラスチック製の情報隠蔽板１２とを備える。上記郵便物本体１１の表面には、郵便番号１１ｂ、住所１１ｃ及び氏名１１ｄからなる宛名１１ａが凹設される。また、郵便物本体１１の裏面には、文字、記号、図形又は絵により構成される情報１１ｅが凹設される。更に、情報隠蔽板１２は、郵便物本体１１より一回り大きく形成され、郵便物本体１１の情報１１ｅが凹設された面に一体成形される。これは、情報隠蔽板１２を郵便物本体１１から剥がし易くするためであるが、後述するように、情報隠蔽板１２を成形した後であって郵便物本体１１を積層する前に、剥離容易層１４（図３）を形成することにより、情報隠蔽板１２を郵便物本体１１から確実に剥離できるようになっている。なお、図１中の符号１３は郵便物本体１１の表面左上に貼付された切手である。
【００２２】
このように構成された情報隠蔽板付き郵便物１０では、表面に宛名１１ａが凹設されかつ裏面に文字等により構成される情報１１ｅが凹設された郵便物本体１１を板状のプラスチックにより形成し、郵便物本体１１の情報１１ｅが凹設された面にこの郵便物本体１１と一体成形されたプラスチック製の情報隠蔽板１２を郵便物本体１１から剥離可能に構成したので、上記郵便物１０がその仕分け工程などで多少手荒な取扱いを受けても、プラスチック製の情報隠蔽板１２が郵便物本体１１から剥がれ難く、情報隠蔽板１２により郵便物本体１１に凹設された情報１１ｅを確実に隠蔽できるとともに、郵便物１０の剛性が高く、折れ曲がり難い。また、宛名１１ａや情報１１ｅが板状のプラスチック製の郵便物本体１１に凹設されているため、宛名１１ａ等は水に濡れてもにじまずかつ経年劣化により消えることもない。
【００２３】
このように構成された情報隠蔽板付き郵便物１０の製造方法を図２（ａ）〜図２（ｄ）に基づいて説明する。先ず、熱溶解積層方式（Fused Deposition Modeling方式：ＦＤＭ方式）の３次元プリンタ２３によりプラスチック製の情報隠蔽板１２を成形する（成形工程）。次に、情報隠蔽板１２の上面に３次元プリンタ２３によりプラスチック製の郵便物本体１１を情報隠蔽板１２により隠蔽される裏面に文字、記号、図形又は絵により構成される情報１１ｅを凹設しかつその表面に宛名１１ａを凹設しながら積層する（積層工程）。ここで、熱溶解積層方式は、米国ストラタシス社によって開発された造形方式であり、フィラメントと呼ばれる熱可塑性樹脂の巻線を２００℃程度の温度で溶解しながら、押出して積層することによって成形体を造形する方式である。この熱溶解積層方式を用いた３次元プリンタ２３は、加熱して溶解した熱可塑性樹脂をノズル２３ａから押出して積層することにより成形体を造形する方式の３次元プリンタである。また、上記熱可塑性樹脂としては、ポリ乳酸（Poly Lactic Acid：ＰＬＡ）、アクリロニトリル・ブタジエン・スチレン（Acrylonitrile Butadiene Styrene：ＡＢＳ）、ポリプロピレン、ポリメタクリル酸メチル、ポリアミド、ポリスチレン、ポリウレタン、ポリビニルアルコール、ポリアセタール等の樹脂が挙げられる。
【００２４】
具体的には、先ず、３次元プリンタ２３の成形テーブル２３ｂ上に熱可塑性樹脂からなるフィラメントを、３次元プリンタ２３のノズル２３ａから押出し互いに平行になるように並べて長方形状の第１隠蔽用薄層２１を造形した後に（図２（ａ））、この第１隠蔽用薄層２１上に３次元プリンタ２３のノズル２３ａからフィラメントを押出し積重ねて第２隠蔽用薄層２２を造形する（図２（ｂ））。これにより所定の厚さの情報隠蔽板１２が造形される。次に、この情報隠蔽板１２上に情報隠蔽板１２より一回り小さい長方形状の第１本体用薄層３１を造形した後に（図２（ｃ））、この第１本体用薄層３１上に３次元プリンタ２３のノズル２３ａからフィラメントを押出し積重ねて第２本体用薄層３２を造形する（図２（ｄ））。これにより所定の厚さの郵便物本体１１が造形される。但し、情報隠蔽板１２を成形した後であって郵便物本体１１を積層する前に、剥離容易層１４（図３）を形成することにより、郵便物本体１１が情報隠蔽板１２に剥離可能に密着するように情報隠蔽板１２及び郵便物本体１１が一体成形される。
【００２５】
上記剥離容易層１４は、図３に詳しく示すように、情報隠蔽板１２の最上層１２ａと郵便物本体１１の最下層１１ｆとにより構成される。情報隠蔽板１２の最上層１２ａは網目状に形成される。また、郵便物本体１１の最下層１１ｆを情報隠蔽板１２の最上層１２ａ上面に３次元プリンタ２３で成形するときに、３次元プリンタ２３のノズル２３ａ先端と情報隠蔽板１２の最上層１２ａ上面との間の距離Ｚが０．１〜１．０ｍｍの範囲内に設定される。これにより郵便物本体１１の最下層１１ｆが情報隠蔽板１２の最上層１２ａに対して複数の点で接着され、郵便物本体１１の最下層１１ｆの情報隠蔽板１２の最上層１２ａに対する密着力が比較的小さくなって、情報隠蔽板１２を郵便物本体１１から容易に剥離できるようになる。ここで、上記距離Ｚを０．１〜１．０ｍｍの範囲内に限定したのは、０．１ｍｍ未満ではノズル２３ａから吐出された材料により情報隠蔽板１２の最上層１２ａを押し潰すように郵便物本体１１の最下層１１ｆが造形されるため、郵便物本体１１の最下層１１ｆの情報隠蔽板１２の最上層１２ａに対する密着力が大き過ぎて情報隠蔽板１２を郵便物本体１１から剥離し難くなり、１．０ｍｍを超えると郵便物本体１１の最下層１１ｆが造形不良になり、郵便物本体１１の最下層１１ｆが情報隠蔽板１２の最上層１２ａに対して密着していない部分が生じ、郵便物本体１１の最下層１１ｆの情報隠蔽板１２の最上層１２ａに対する密着力が小さ過ぎて、情報隠蔽板１２が郵便物本体１１から意図せずに剥離してしまうからである。なお、情報隠蔽用板１２の厚さやフィラメントの太さにより隠蔽用薄層２１，２２の枚数は１枚又は３枚以上になり、郵便物本体１１の厚さやフィラメントの太さにより本体用薄層３１，３２の枚数は１枚又は３枚以上になる。
【００２６】
このような情報隠蔽板付き郵便物１０の製造方法では、一度３次元プリンタ２３による情報隠蔽板付き郵便物１０の作製プログラムを組むことにより、郵便物本体１１の表面及び裏面に宛名１１ａ及び情報１１ｅをインクで印刷する必要がなく、また情報１１ｅを印刷した郵便物本体１１の裏面に情報隠蔽紙１２を接着剤で貼着する必要もなく、上記プログラムの指令を３次元プリンタ２３に送信することにより、自動的に情報隠蔽板付き郵便物１０を作製できる。
【００２７】
＜第２の実施の形態＞
図４〜図６は本発明の第２の実施の形態を示す。図４〜図６において図１及び図２と同一符号は同一部品を示す。この実施の形態では、郵便物本体５１の表面側の一部に郵便物本体５１から離れるに従って次第に狭くなるドーム状に突出しかつ内部に空洞５１ｂを有する突起５１ａが設けられ、空洞５１ｂが情報隠蔽板１２により封止される（図４及び図６）。上記突起５１ａは、この実施の形態では、半球状に形成される。また、上記空洞５１ｂに収容される物品５６は、この実施の形態では、指輪である。なお、図４〜図６中の符号５１ｃは、横断面略Ｕ字状に形成された支柱である。この支柱５１ｃは情報隠蔽板１２及び郵便物本体５１と一体成形され、支柱５１ｃの下端は情報隠蔽板１２上に剥離可能に接続され、支柱５１ｃの上端は空洞５１ｂの天井に接続される。そして、この支柱５１ｃに指輪５６が遊嵌されることにより、空洞５１ｂ内での指輪５６の動きが抑制されて異音の発生を低減できるようになっている。上記以外は第１の実施の形態と同一に構成される。
【００２８】
このように構成された情報隠蔽板付き郵便物５０では、この郵便物５０の差出人が、郵便物本体５１の空洞５１ｂに物品を収容した後に、この空洞５１ｂを情報隠蔽板１２により封止した状態でこの郵便物５０を投函すると、この郵便物５０を受取った受取人が郵便物本体５１から情報隠蔽板１２を剥がして、郵便物本体５１の裏面に凹設された情報１１ｅを読むことができるとともに、空洞５１ｂから指輪５６を取出すことができる。この結果、郵便物５０の受取人は、郵便物本体５１の裏面に凹設された情報１１ｅと、空洞５１ｂに収容された指輪５６を第三者に知られずに得ることができる。また、上記情報１１ｅ及び指輪５６が郵便物５０の受取人にとって喜ばしい内容及び物品であると、郵便物５０の受取人は驚きかつ喜ぶ。上記以外の構成上の効果は、第１実施形態の構成上の効果と略同様であるので、繰返しの説明を省略する。
【００２９】
このように構成された情報隠蔽板付き郵便物５０の製造方法を図５（ａ）〜図５（ｆ）に基づいて説明する。第１の実施の形態と同様に、先ず、熱溶解積層方式（Fused Deposition Modeling方式：ＦＤＭ方式）の３次元プリンタ２３によりプラスチック製の情報隠蔽板１２を成形した後に（成形工程）、情報隠蔽板１２の上面に３次元プリンタ２３によりプラスチック製の郵便物本体５１を情報隠蔽板１２により隠蔽される裏面に文字、記号、図形又は絵により構成される情報１１ｅを凹設しかつその表面に宛名１１ａを凹設しながら積層する（積層工程）。但し、郵便物本体５１の積層工程において、郵便物本体５１の一部に郵便物本体５１の表面側に突出しかつ内部に空洞５１ｂを有する突起５１ａを設け、突起５１ａを積層している途中で未完成の突起５１ａ内部の空洞５１ｂに指輪５６を収容した後に（図５（ｆ））、突起５１ａを完成させる（図５（ｇ））。
【００３０】
具体的には、先ず、３次元プリンタ２３の成形テーブル２３ｂ上に熱可塑性樹脂からなるフィラメントを、３次元プリンタ２３のノズル２３ａから押出し互いに平行になるように並べて長方形状の第１隠蔽用薄層２１を造形した後に（図５（ａ））、この第１隠蔽用薄層２１上に３次元プリンタ２３のノズル２３ａからフィラメントを押出し積重ねて第２隠蔽用薄層２２を造形する（図５（ｂ））。これにより所定の厚さの情報隠蔽板１２が造形される。次いで、この情報隠蔽板１２上に情報隠蔽板１２より一回り小さい長方形状の第１本体用薄層６１を造形した後に（図５（ｃ））、この第１本体用薄層６１上に３次元プリンタ２３のノズル２３ａからフィラメントを押出し積重ねて第２本体用薄層６２を造形する（図５（ｄ））。これにより突起５１ａ以外の所定の厚さの郵便物本体５１が造形される。但し、情報隠蔽板１２を成形した後であって郵便物本体５１を積層する前に、第１の実施の形態と同様に、剥離容易層（図示せず）を形成することにより、郵便物本体５１が情報隠蔽板１２に剥離可能に密着するように情報隠蔽板１２及び郵便物本体５１が一体成形される。次に、第２本体用薄層６１上に３次元プリンタ２３のノズル２３ａからフィラメントを押出し積重ねて第１突起用薄層７１を造形した後に（図５（ｅ））、この第１突起用薄層７１上に３次元プリンタ２３のノズル２３ａからフィラメントを押出し積重ねて第２突起用薄層７２を造形する（図５（ｆ））。ここで、未完成の突起５１ａ内部の空洞５１ｂに指輪５６を収容する。そして、上記第２突起用薄層７２上に３次元プリンタ２３のノズル２３ａからフィラメントを押出し積重ねて突起５１ａを完成させる（図５（ｇ））。第１及び第２本体用薄層６１，６２や第１及び第２突起用薄層７１，７２等の積層と同時に支柱用薄層８１を順次積層して支柱５１ｃを完成させる（図５（ｃ）〜図５（ｇ））。なお、情報隠蔽用板１２の厚さやフィラメントの太さにより隠蔽用薄層２１，２２の枚数は１枚又は３枚以上になり、郵便物本体５１の厚さ、突起５１ａの高さ及びフィラメントの太さにより本体用薄層６１，６２の枚数は１枚又は３枚以上になる。
【００３１】
このような情報隠蔽板付き郵便物５０の製造方法では、突起５１ａを積層している途中で未完成の突起５１ａ内部の空洞５１ｂに指輪５６を収容した後に突起５１ａを完成させるので、未完成の突起５１ａ内部の空洞５１ｂに指輪５６を収容するという僅かな工数の増加で、指輪５６を空洞５１ｂに封入することができる。また、上記突起５１ａが、郵便物本体５１の表面側の一部に郵便物本体５１から離れるに従って次第に狭くなるドーム状に突出するので、突起５１ａ内部の空洞５１ｂに必要最小限の支柱５１ｃを設けるだけで所定の強度を確保できる。この結果、空洞５１ｂの容積に相応する大きさの指輪５６を空洞５１ｂに収容できる。上記以外の製造上の効果は、第１実施形態の製造上の効果と略同様であるので、繰返しの説明を省略する。
【００３２】
なお、上記第１及び第２の実施の形態では、郵便物としてハガキを挙げたが、郵送される大判のダイレクトメール等の郵便物や、宅配されるダイレクトメール等の信書便物であってもよい。また、上記第１及び第２の実施の形態では、情報隠蔽板付き郵便物を３次元プリンタを用いて熱溶解積層法により作製したが、３次元プリンタを用いたインクジェット紫外線硬化方式の３次元プリンタ、粉末固着方式の３次元プリンタ、光造形方式の３次元プリンタ等で情報隠蔽板付き郵便物を作製してもよい。上記インクジェット紫外線硬化方式の３次元プリンタは、アクリル系光硬化樹脂をインクジェットヘッドのノズルから成型テーブル上に吐出しながら紫外線を照射し硬化させて造形する方式の３次元プリンタである。また、上記光造形方式の３次元プリンタは、成形テーブル上の重合性モノマー及び光重合開始剤を含有する液状の光硬化性組成物の薄層に、紫外線レーザ装置から紫外線レーザ光を所定のパターンで走査して所定の形状を有する硬化薄層を形成し、この硬化薄層を積層して造形する方式の３次元プリンタであり、更に、上記粉末固着方式の３次元プリンタは、成形テーブル上のナイロン等の樹脂パウダーの薄層に、レーザ光を所定のパターンで走査して所定の形状を有する硬化薄層を形成し、この硬化薄層を積層して造形する方式の３次元プリンタ方法である。一方、上記第２の実施の形態では、空洞に収容される物品として指輪を挙げたが、イヤリング、ネックレス、ブローチ等のアクセサリー、或いはその他の小物類でもよい。また、上記第２の実施の形態では、郵便物本体の表面側の一部に半球状の突起を設けたが、郵便物本体から離れるに従って次第に狭くなるドーム状に突出する突起であれば、三角錐台状又は四角錐台状の多角錐台状、或いはハート状であってもよい。
【符号の説明】
【００３３】
１０，５０  情報隠蔽板付き郵便物
１１，５１  郵便物本体
１１ａ  宛名
１１ｅ  情報
１２  情報隠蔽板
２３  ３次元プリンタ
５１ａ  突起
５１ｂ  空洞
５６  指輪（物品）
【図１】
2018126910.tif 000003
【図２】
2018126910.tif 000004
【図３】
2018126910.tif 000005
【図４】
2018126910.tif 000006
【図５】
2018126910.tif 000007
【図６】
2018126910.tif 000008